(57)【要約】【課題】  光ディスク５４のラジアルスキューに対処できる光ピックアップアクチュエータ１０において、外周側及び内周側のサスペンションワイヤの種類を区別しなくても、対物レンズ装置１１のフォーカス方向位置の変更により対物レンズ装置１１の向きを制御するようにする。【解決手段】  配線基板１４は、トラッキング方向中央部において、ホルダダンパ１３の固着面部３２に当てられ、固定されるとともに、外周側及び内周側へ突出する外周側突出部分４１ａ，４１ｂ及び内周側突出部分４２ａ，４２ｂを有している。外周側突出部分４１ａ，４１ｂ及び内周側突出部分４２ａ，４２ｂは、先端部において外周側サスペンションワイヤ１５ａ，１５ｂ及び内周側サスペンションワイヤ１６ａ，１６ｂの基端部を半田付けされるとともに、形状を相互に異ならせている。これにより、外周側突出部分４１ａ，４１ｂの剛性が内周側突出部分４２ａ，４２ｂの剛性より小さくなる。【選択図】      図１
2007066481.tif 000002
【特許請求の範囲】
【請求項１】
光ディスクの記録面に合焦する光スポットを生成する対物レンズ装置、
支持部材、
前記支持部材に固定される配線基板、及び
前記対物レンズ装置をフォーカス方向及びトラッキング方向へ変位自在に、それぞれ前記対物レンズ装置のトラッキング方向外周側及び内周側を前記配線基板に支持する外周側サスペンションワイヤ及び内周側サスペンションワイヤ、
を有し、
前記配線基板は、前記外周側サスペンションワイヤとの結合部位への配線を含む外周側配線基板区分と前記内周側サスペンションワイヤとの結合部位への配線を含む内周側配線基板区分とに区分され、
前記外周側配線基板区分における外周側サスペンションワイヤの支持に係る剛性と前記内周側配線基板区分における内周側サスペンションワイヤの支持に係る剛性とが相互に異っていることを特徴とする光ピックアップ装置。
【請求項２】
前記配線基板は、前記外周側配線基板区分及び前記内周側配線基板区分が相互に非対称の形状とされることにより、前記外周側配線基板区分における外周側サスペンションワイヤの支持に係る剛性と前記内周側配線基板区分における内周側サスペンションワイヤの支持に係る剛性とを相互に異ならせているものであることを特徴とする請求項１記載の光ピックアップ装置。
【請求項３】
前記外周側配線基板区分及び前記内周側配線基板区分は、それぞれ外周側及び内周側へ突出する突出部分を有し、
前記配線基板における前記外周側サスペンションワイヤ及び前記内周側サスペンションワイヤとの結合部位は前記配線基板の各突出部分の先端部にあり、
前記配線基板は、前記外周側配線基板区分及び前記内周側配線基板区分の各突出部分の突出量を異ならせることにより、前記外周側配線基板区分における外周側サスペンションワイヤの支持に係る剛性と前記内周側配線基板区分における内周側サスペンションワイヤの支持に係る剛性とを相互に異ならせているものであることを特徴とする請求項２記載の光ピックアップ装置。
【請求項４】
前記外周側配線基板区分及び前記内周側配線基板区分は、それぞれ外周側及び内周側へ突出する突出部分を有し、
前記配線基板における前記外周側サスペンションワイヤ及び前記内周側サスペンションワイヤとの結合部位は前記配線基板の各突出部分の先端部にあり、
前記配線基板は、前記外周側配線基板区分及び前記内周側配線基板区分の各突出部分の幅を異ならせることにより、前記外周側配線基板区分における外周側サスペンションワイヤの支持に係る剛性と前記内周側配線基板区分における内周側サスペンションワイヤの支持に係る剛性とを相互に異ならせているものであることを特徴とする請求項２又は３記載の光ピックアップ装置。
【請求項５】
前記配線基板は、前記外周側配線基板区分及び前記内周側配線基板区分とで切欠き又は透孔の有無、又はそれらの形状若しくは寸法を異ならせることにより、前記外周側配線基板区分における外周側サスペンションワイヤの支持に係る剛性と前記内周側配線基板区分における内周側サスペンションワイヤの支持に係る剛性とを相互に異ならせているものであることを特徴とする請求項２〜４のいずれかに記載の光ピックアップ装置。
【請求項６】
前記配線基板は、前記外周側サスペンションワイヤ及び前記内周側サスペンションワイヤへの第１及び第２の配線用パターン部分を有し、
前記配線基板は、前記第１及び前記第２の配線用パターン部分の幅を異ならせることにより、前記外周側配線基板区分における外周側サスペンションワイヤの支持に係る剛性と前記内周側配線基板区分における内周側サスペンションワイヤの支持に係る剛性とを相互に異ならせているものであることを特徴とする請求項１〜６のいずれかに記載の光ピックアップ装置。
【請求項７】
前記配線基板は、前記支持部材への前記外周側配線基板区分及び前記内周側配線基板区分の非固着面積を相互に異ならせることにより、前記外周側配線基板区分における外周側サスペンションワイヤの支持に係る剛性と前記内周側配線基板区分における内周側サスペンションワイヤの支持に係る剛性とを相互に異ならせているものであることを特徴とする請求項１〜６のいずれかに記載の光ピックアップ装置。
【請求項８】
前記外周側配線基板区分における外周側サスペンションワイヤの支持に係る剛性は前記内周側配線基板区分における内周側サスペンションワイヤの支持に係る剛性より小さいことを特徴とする請求項１〜７のいずれかに記載の光ピックアップ装置。
【発明の詳細な説明】
【技術分野】
【０００１】
本発明は、光ディスクプレーヤや光ディスクドライブ等に装備される光ピックアップ装置に関し、詳しくは光ディスクの面振れに対処できる光ピックアップ装置に関するものである。
【背景技術】
【０００２】
特許文献１は、光ディスクの面振れに対処する光ピックアップ装置を開示する。該光ピックアップ装置では、フォーカスコイル及びトラッキングコイルの他に、チルトコイルを対物レンズ装置（特許文献１の図３の符号１１。）の、光ディスクとは反対側に取付け、チルトコイルへの励磁電流を制御することにより対物レンズ装置のチルト角を制御している。フォーカスコイル及びトラッキングコイルと共に、チルトコイルへも励磁電流を供給する必要があるので、制御線を兼ねるサスペンションワイヤ（特許文献１では「支持ワイヤ」と呼んでいる。特許文献１の図３の符号４，４ａ。）の本数が増大する問題がある。
【０００３】
一方、チルトコイルを省略して、光ディスクのラジアルスキューに対処する光ピックアップ装置（以下、「公知装置」という。）では、フォーカス方向（光ディスクの面に対して直角方向）の対物レンズの変位を利用して、対物レンズを向きを制御している。すなわち、対物レンズの外周側を支持するサスペンションワイヤと対物レンズの内周側を支持するサスペンションワイヤとの剛性に差を付けることにより、フォーカス方向への光ディスクの移動に対して、光ディスクの外周側及び内周側の変位量に差が生じ、光ディスクの向きが変化するようにしている。サスペンションワイヤの剛性は、サスペンションワイヤの形状又は材料により決まるので、外周側サスペンションワイヤ及び内周側サスペンションワイヤの剛性に差を付けるために、例えば、外周側サスペンションワイヤ及び内周側サスペンションワイヤとで径を異ならせている。
【特許文献１】特開２００４−１５２４２１号公報
【発明の開示】
【発明が解決しようとする課題】
【０００４】
公知装置は、チルトコイルを省略できるとともに、チルトコイルへ励磁電流の供給が不要になることにより、サスペンションワイヤの本数を低減できる利点がある。しかしながら、径の異なる二種のサスペンションワイヤが必要となり、部品点数が増大するとともに、組付け作業者は、二種のサスペンションワイヤを区別して、対物レンズ装置の内周側及び外周側へ取り付ける必要があり、作業が煩雑になったり、サスペンションワイヤの付け間違いが生じたりし易い。サスペンションワイヤの付け間違いを無くすためには、例えば、サスペンションワイヤの色を径によって変える等の対策が必要となるが、これはコストの増大に繋がる。
【０００５】
また、内周側サスペンションワイヤと外周側サスペンションワイヤとの設計上の径差は２〜３μｍと、非常に小さく、さらに、サスペンションワイヤの径の公差は約２μｍであるため、組付け作業者が内周側サスペンションワイヤ及び外周側サスペンションワイヤを正しく選んだにもかかわらず、場合よっては、公差の存在のために、内周側サスペンションワイヤ及び外周側サスペンションワイヤ共に等径のものとなっていたり、内周側サスペンションワイヤの方が外周側サスペンションワイヤより細径であったり、内周側サスペンションワイヤ及び外周側サスペンションワイヤの公差がたまたま径差増大方向にあったために、径差が最大６μｍに開き、対物レンズ装置の傾きが設計値の３倍になったりする不具合が生じる。
【０００６】
なお、特許文献１は、図９において、プリント配線板におけるチルトコイル用サスペンションワイヤとの結合部位をチルトコイル用サスペンションワイヤの変位に応じて変形させ、チルトコイル用サスペンションワイヤを常時に直線に維持して、チルトコイル用サスペンションワイヤの弾性力及び張力を消失させることを開示する。しかし、特許文献１の光ピックアップ装置では、外周側及び内周側のチルトコイル用サスペンションワイヤの両方において、弾性力及び張力を消失させること（剛性を０にすること）を狙っており、このような技術思想に基づき対物レンズの向きを調整することは困難である。
【０００７】
本発明の目的は、サスペンションワイヤの種類を外周側と内周側とで区別しなくても、光ディスクのラジアルスキューに対処する対物レンズの向きを適切に制御できる光ピックアップ装置を提供することである。
【課題を解決するための手段】
【０００８】
本発明の光ピックアップ装置について述べる。なお、後述の発明を実施するための最良の形態における光ピックアップアクチュエータ１０，５０は本発明の光ピックアップ装置の一例である。本発明の光ピックアップ装置の要素とその一例としての光ピックアップアクチュエータ１０，５０の要素との対応関係は次のとおりである。各対比において「：」の左が本発明の要素である。本発明は、後述の発明を実施するための最良の形態に限定されず、要旨の範囲内で種々の形態により実施可能であることは言うまでもない。
【０００９】
光ピックアップ装置：光ピックアップアクチュエータ１０，５０。光ディスク：光ディスク５４。対物レンズ装置：対物レンズ装置１１。支持部材：ホルダダンパ１３。配線基板：配線基板１４，１４２，１４３，１４４，１４５，１４６，１４７。外周側サスペンションワイヤ：外周側サスペンションワイヤ１５ａ，１５ｂ。内周側サスペンションワイヤ：内周側サスペンションワイヤ１６ａ，１６ｂ。配線用パターン部分：外周側配線用パターン３８ａ，３８ｂ及び内周側配線用パターン３９ａ，３９ｂ。外周側サスペンションワイヤとの結合部位：外周側半田付け部３４ａ，３４ｂ。内周側サスペンションワイヤとの結合部位：内周側半田付け部３５ａ，３５ｂ。突出部分：外周側突出部分４１ａ，４１ｂ及び内周側突出部分４２ａ，４２ｂ。外周側配線基板区分：外周側配線基板区分４０ａ。内周側配線基板区分：内周側配線基板区分４０ｂ。切欠き又は透孔：外周側切欠き４５ａ及び内周側切欠き４５ｂ並びに開口４８。
【００１０】
本発明の光ピックアップ装置は、光ディスクの記録面に合焦する光スポットを生成する対物レンズ装置、支持部材、支持部材に固定される配線基板、及び対物レンズ装置をフォーカス方向及びトラッキング方向へ変位自在にそれぞれ対物レンズ装置のトラッキング方向外周側及び内周側を配線基板に支持する外周側サスペンションワイヤ及び内周側サスペンションワイヤ、を有している。そして、配線基板は、外周側サスペンションワイヤとの結合部位への配線を含む外周側配線基板区分と内周側サスペンションワイヤとの結合部位への配線を含む内周側配線基板区分とに区分され、外周側配線基板区分における外周側サスペンションワイヤの支持に係る剛性と内周側配線基板区分における内周側サスペンションワイヤの支持に係る剛性とが相互に異っている。
【００１１】
対物レンズ装置は、支持剛性の大きい側の所定の点を中心とするほぼ円弧のほぼ接線方向へ光軸を向けつつ、フォーカス方向へ移動する（例：図１５）。こうして、対物レンズ装置のフォーカス方向位置を制御することにより、対物レンズ装置は、その向きを、面振れする光ディスクの面に対して直角に制御される。
【００１２】
支持部材は好ましくはホルダダンパである。配線基板は、ホルダダンパに対して光ディスクとは反対側に配置され、かつホルダダンパに固定される。外周側サスペンションワイヤ及び内周側サスペンションワイヤは、ホルダダンパの透孔を通過しており、該透孔の径はサスペンションワイヤの径よりも適当に大きく、該透孔は、サスペンションワイヤの挿通後、ＵＶ硬化型ダンピング部材を充填される。フォーカス方向及びトラッキング方向へのサスペンションワイヤの振動を減衰ざせる。典型的な光ピックアップ装置では、外周側サスペンションワイヤ及び内周側サスペンションワイヤは各２本ずつある。
【００１３】
好ましい光ピックアップ装置によれば、外周側配線基板区分における外周側サスペンションワイヤの支持に係る剛性は内周側配線基板区分における内周側サスペンションワイヤの支持に係る剛性より小さい。対物レンズ装置が、ラジアルスキュー無しの光ディスクに対して直角方向に向いているときの位置を対物レンズ装置の基準位置とすると（例：図１５の中央位置。典型的には、該基準位置は、フォーカスコイル及びトラッキングコイルの励磁電流が０の位置でもある。）、対物レンズ装置がフォーカス方向へ基準位置から光ディスクの方へ変位するのに伴い、対物レンズ装置は、徐々にトラッキング方向内周側（例：図１５の右側）へ向いていき、また、対物レンズ装置がフォーカス方向へ基準位置から光ディスクとは反対の方へ変位するのに伴い、対物レンズ装置は、徐々にトラッキング方向外周側（例：図１５の左側）へ向いていく。
【００１４】
逆に、外周側配線基板区分における外周側サスペンションワイヤの支持に係る剛性が内周側配線基板区分における内周側サスペンションワイヤの支持に係る剛性より大きい場合には、対物レンズ装置がフォーカス方向へ基準位置から光ディスクの方へ変位するのに伴い、対物レンズ装置は、徐々にトラッキング方向外周側へ向いていき、また、対物レンズ装置がフォーカス方向へ基準位置から光ディスクとは反対の方へ変位するのに伴い、対物レンズ装置は、徐々にトラッキング方向内周側へ向いていく。
【００１５】
好ましい光ピックアップ装置（例：図５〜図９）によれば、配線基板は、外周側配線基板区分及び内周側配線基板区分が相互に非対称の形状とされることにより、外周側配線基板区分における外周側サスペンションワイヤの支持に係る剛性と内周側配線基板区分における内周側サスペンションワイヤの支持に係る剛性とを相互に異ならせているものである。
【００１６】
好ましい光ピックアップ装置（例：図５）によれば、外周側配線基板区分及び内周側配線基板区分は、それぞれ外周側及び内周側へ突出する突出部分を有し、配線基板における外周側サスペンションワイヤ及び内周側サスペンションワイヤとの結合部位は配線基板の各突出部分の先端部にある。配線基板は、外周側配線基板区分及び内周側配線基板区分の各突出部分の突出量を異ならせることにより、外周側配線基板区分における外周側サスペンションワイヤの支持に係る剛性と内周側配線基板区分における内周側サスペンションワイヤの支持に係る剛性とを相互に異ならせているものである。
【００１７】
好ましい光ピックアップ装置（例：図６及び図７）によれば、外周側配線基板区分及び内周側配線基板区分は、それぞれ外周側及び内周側へ突出する突出部分を有し、配線基板における外周側サスペンションワイヤ及び内周側サスペンションワイヤとの結合部位は配線基板の各突出部分の先端部にある。配線基板は、外周側配線基板区分及び内周側配線基板区分の各突出部分の幅を異ならせることにより、外周側配線基板区分における外周側サスペンションワイヤの支持に係る剛性と内周側配線基板区分における内周側サスペンションワイヤの支持に係る剛性とを相互に異ならせているものである。
【００１８】
好ましい光ピックアップ装置（例：図８及び図９）によれば、配線基板は、外周側配線基板区分及び内周側配線基板区分とで切欠き又は透孔の有無、又はそれらの形状若しくは寸法を異ならせることにより、外周側配線基板区分における外周側サスペンションワイヤの支持に係る剛性と内周側配線基板区分における内周側サスペンションワイヤの支持に係る剛性とを相互に異ならせているものである。
【００１９】
好ましい光ピックアップ装置（例：図１０）によれば、配線基板は、外周側サスペンションワイヤ及び内周側サスペンションワイヤへの第１及び第２の配線用パターン部分を有している。配線基板は、第１及び第２の配線用パターン部分の幅を異ならせることにより、外周側配線基板区分における外周側サスペンションワイヤの支持に係る剛性と内周側配線基板区分における内周側サスペンションワイヤの支持に係る剛性とを相互に異ならせているものである。
【００２０】
好ましい光ピックアップ装置（例：図１１及び図１２）によれば、配線基板は、支持部材への外周側配線基板区分及び内周側配線基板区分の非固着面積を相互に異ならせることにより、外周側配線基板区分における外周側サスペンションワイヤの支持に係る剛性と内周側配線基板区分における内周側サスペンションワイヤの支持に係る剛性とを相互に異ならせているものである。
【発明の効果】
【００２１】
本発明によれば、外周側配線基板区分における外周側サスペンションワイヤの支持に係る剛性と内周側配線基板区分における内周側サスペンションワイヤの支持に係る剛性とに差を付けることにより、対物レンズ装置の向きを光ディスクのラジアルスキューに対処したものに制御する。したがって、部品点数の増大や、製造時の内周側及び外周側サスペンションワイヤの区分けに伴う作業の煩雑さを解消することができる。
【発明を実施するための最良の形態】
【００２２】
図１は光ピックアップアクチュエータ１０の斜視図である。光ピックアップアクチュエータ１０は、例えば、ＤＶＤプレーヤ等の光ディスクプレーヤや、パーソナルコンピュータの光ディスクドライブ等に装備される。図１において、ｘ軸方向及びｙ軸方向はそれぞれ対物レンズ２６のフォーカス方向及びトラッキング方向である。また、ｚ軸方向は、光ディスクのトラックに対するタンジェンシャル方向（接線方向）となる。説明の便宜上、ｘ軸の正側は光ディスク（図示せず）へ近づく側とし、ｙ軸の正側は、光ディスクの中心から遠ざかる側とし、ｚ軸の正側は光ディスクの回転方向前方とする。図１において、上側（ｘ軸方向正側）及び下側（ｘ軸方向負側）はそれぞれ光ディスクに接近及び離反する側であり、左斜め上方（ｙ軸方向正側）及び右斜め下方（ｙ軸方向負側）は光ディスクの外周側及び内周側へ向かう方向である。
【００２３】
光ピックアップアクチュエータ１０は、対物レンズ装置１１、ヨーク１２、該ヨーク１２の一端部に載置、固定されるホルダダンパ１３、及びホルダダンパ１３に対して対物レンズ装置１１とは反対側からホルダダンパ１３の端面に固着される配線基板１４を有している。２本の外周側サスペンションワイヤ１５ａ，１５ｂは、フォーカス方向へ離れて、相互に平行に延びている。同様に、２本の内周側サスペンションワイヤ１６ａ，１６ｂは、フォーカス方向へ離れて、相互に平行に延びている。外周側サスペンションワイヤ１５ａ，１５ｂは、対物レンズ装置１１のケース２５の外周側側面に沿って延び、基端部において配線基板１４の外周側半田付け部３４ａ，３４ｂに半田付けにより固定され、ホルダダンパ１３の所定径の通孔（図示せず。該通孔内にはＵＶ硬化型のダンピング部材が充填される。）を通過し、先端部において対物レンズ装置１１のケース２５の外周側側面の先端部の端子部に半田付けにより固定されている。内周側サスペンションワイヤ１６ａ，１６ｂは、対物レンズ装置１１のケース２５の内周側側面に沿って延び、基端部において配線基板１４の内周側半田付け部３５ａ，３５ｂに半田付けにより固定され、ホルダダンパ１３の所定径の通孔（図示せず。該通孔内にはＵＶ硬化型のダンピング部材が充填される。）を通過し、先端部において対物レンズ装置１１のケース２５の内周側側面の先端部の端子部に半田付けにより固定されている。
【００２４】
図２はヨーク１２の斜視図である。ヨーク１２は１対の磁石取付け板２０ａ，２０ｂを有し、１対の磁石取付け板２０ａ，２０ｂは、フォーカス方向の正側へ切り起こされ、タンジェンシャル方向へ対峙している。１対の板状永久磁石２１ａ，２１ｂは、磁石取付け板２０ａ，２０ｂの対峙面側に固着され、タンジェンシャル方向へ所定寸法の間隙を形成して、対峙している。
【００２５】
図１において、対物レンズ装置１１では、タンジェンシャル方向負側から正側へ順番に、対物レンズ２６、トラッキングコイル２８ａ，２８ｂ及びフォーカスコイル２９が配置され、それらはケース２５により一体に保持されている。光ピックアップアクチュエータ１０への対物レンズ装置１１の組込み状態では、トラッキングコイル２８ａ，２８ｂはタンジェンシャル方向へ１対の板状永久磁石２１ａ，２１ｂの間に位置し、フォーカスコイル２９は磁石取付け板２０ｂ，２１ｂを包囲している。トラッキングコイル２８ａ，２８ｂ及びフォーカスコイル２９は、外周側サスペンションワイヤ１５ａ，１５ｂ及び内周側サスペンションワイヤ１６ａ，１６ｂを介して励磁電流を供給される。トラッキングコイル２８ａ，２８ｂへの励磁電流の制御により、トラッキング方向へのヨーク１２に対する対物レンズ装置１１の相対位置が制御される。フォーカスコイル２９への励磁電流の制御により、フォーカス方向へのヨーク１２に対する対物レンズ装置１１の相対位置が制御される。
【００２６】
ホルダダンパ１３は、配線基板１４側の端面部において、トラッキング方向中央部の固着面部３２と、両端部の外周側凹部３１ａ及び内周側凹部３１ｂとを有している。固着面部３２は平面であり、配線基板１４は、ホルダダンパ１３の固着面部３２に当てられて、熱硬化性接着剤により固着面部３２に固定されている。
【００２７】
図３は光ピックアップアクチュエータ１０をタンジェンシャル方向へ配線基板１４側から見た図である。説明の便宜上、図３〜図１０における上下方向を配線基板１４の上下として、構成を説明する。すなわち、配線基板１４の上側及び下側は、フォーカス方向の正側及び負側に対応する。基準線２３は、対物レンズ装置１１がフォーカス方向及びトラッキング方向へ中立位置にあったときの対物レンズ２６の光軸に対応する。
【００２８】
外周側半田付け部３４ａ，３４ｂ及び内周側半田付け部３５ａ，３５ｂは、それぞれ外周側サスペンションワイヤ１５ａ，１５ｂ及び内周側サスペンションワイヤ１６ａ，１６ｂに対応しており、図面では、それらの領域を明確化するために、領域に斜線を付けている。外周側サスペンションワイヤ１５ａ，１５ｂ及び内周側サスペンションワイヤ１６ａ，１６ｂの基端は、外周側半田付け部３４ａ，３４ｂ及び内周側半田付け部３５ａ，３５ｂの中心に設けられた挿通孔から少し突出されてから半田付けにより外周側半田付け部３４ａ，３４ｂ及び内周側半田付け部３５ａ，３５ｂに固定される。配線基板１４は、ホルダダンパ１３側の面において、ホルダダンパ１３の固着面部３２に当てられる部位のみ接着剤で固着されている。したがって、ホルダダンパ１３の外周側凹部３１ａ及び内周側凹部３１ｂの範囲では、ホルダダンパ１３と配線基板１４との間に所定のスペースが存在し、配線基板１４は、外周側凹部３１ａ及び内周側凹部３１ｂの範囲において弾性変形自在である。
【００２９】
配線基板１４は、トラッキング方向へ基準線２３を境に外周側半田付け部３４ａ，３４ｂ側の外周側配線基板区分４０ａと内周側半田付け部３５ａ，３５ｂ側の内周側配線基板区分４０ｂとに区分される。配線基板１４のはとめ用透孔３６ａ，３６ｂ（図４等）は、それぞれはとめ３０ａ，３０ｂ（図４等）が施される箇所であり、配線基板１４の外周側配線基板区分４０ａ及び内周側配線基板区分４０ｂを見分けるために、形状を相互に異ならせている。外周側配線用パターン３８ａ，３８ｂ及び内周側配線用パターン３９ａ，３９ｂは、金属被膜から成り、配線基板１４の本体は、絶縁性樹脂の材料から成り、外周側配線用パターン３８ａ，３８ｂ及び内周側配線用パターン３９ａ，３９ｂの金属被膜は、配線基板１４の本体に例えば蒸着により生成される。
【００３０】
外周側配線用パターン３８ａ，３８ｂ及び内周側配線用パターン３９ａ，３９ｂの金属被膜は、それぞれ外周側配線基板区分４０ａ及び内周側配線基板区分４０ｂに存在し、外周側配線用パターン３８ａ，３８ｂ及び内周側配線用パターン３９ａ，３９ｂの始端は、配線基板１４の中央の下端部にトラッキング方向へ一列に並び、フォーカス方向上方へ延びてから、向きをトラッキング方向へ直角に転換し、トラッキング方向へ平行に延び、それぞれ終端において外周側半田付け部３４ａ，３４ｂ及び内周側半田付け部３５ａ，３５ｂへ到達している。配線基板１４は、そのトラッキング方向中央部からそれぞれ外周側及び内周側へ突出する外周側突出部分４１ａ，４１ｂ及び内周側突出部分４２ａ，４２ｂを有している。外周側半田付け部３４ａ，３４ｂ及び内周側半田付け部３５ａ，３５ｂは、外周側突出部分４１ａ，４１ｂ及び内周側突出部分４２ａ，４２ｂの先端部分に位置する。外周側切欠き４５ａ及び内周側切欠き４５ｂは、それぞれ上下方向へ外周側突出部分４１ａ，４１ｂの間及び内周側突出部分４２ａ，４２ｂの間に形成される。
【００３１】
外周側配線基板区分４０ａにおける外周側サスペンションワイヤ１５ａ，１５ｂの支持に係る剛性と、内周側配線基板区分４０ｂにおける内周側サスペンションワイヤ１６ａ，１６ｂの支持に係る剛性は、相互に異ならせてあり、前者の方が後者より小さくされる。このような剛性差を実現する具体的構成については、後述の図５以降を参照して説明する。
【００３２】
図１３は光ディスク５４が水平姿勢にあるときの対物レンズ装置１１の向きを示している。回転軸線５５は光ディスク５４の回転軸線を示す。通常の光ディスクプレーヤ及び光ディスクドライブでは、ターンテーブルが横置き（水平）となっているので、回転軸線５５は鉛直方向へまっすぐに延びている。しかし、ターンテーブルが縦置き（垂直）となっている光ディスクプレーヤ及び光ディスクドライブも存在し、それらでは、回転軸線５５は水平線に対して平行になる。対物レンズ２６の通常の向きは、水平姿勢の光ディスク５４の面に対して直角に光ディスク５４の方へ向くものであり、回転軸線５５に対して平行となっている。
【００３３】
図１４は光ディスク５４の面振れ及び対物レンズ装置１１の向きを示している。光ディスク５４を載置するターンテーブルの面形状及び光ディスク５４自体の面形状のために、光ディスク５４は、回転軸線５５の周りを面振れしながら回転することがあり、光ディスク５４の面に対する垂直線は回転軸線５５に対して変動する。対物レンズ２６から出射された光が、光ディスク５４の記録面に垂直に照射され、該記録面上に、データ読み出し用の適正な光スポットを生成し、さらに、その反射光を対物レンズ２６から対物レンズ装置１１内へ適切に入射させるためには、対物レンズ装置１１の向きが、光ディスク５４の面振れにもかかわらず、光ディスク５４の面に対して直角に制御される必要がある。光ピックアップアクチュエータ１０は、光ディスク５４のラジアルスキューに対処して、対物レンズ装置１１の向きを制御する機能が備わっている。
【００３４】
図１５は光ピックアップアクチュエータ１０における対物レンズ装置１１のフォーカス方向位置と対物レンズ装置１１の向きとの関係を示している。移動線５７は、各フォーカス方向位置での対物レンズ装置１１の向き（対物レンズ２６の光軸方向）を示している。移動線５７はほぼ円弧であり、該円弧の中心は、対物レンズ装置１１に対して内周側の所定位置に存在する。移動線５７上の各位置に対物レンズ装置１１があるとき、該位置における移動線５７の接線方向が対物レンズ装置１１の向きとなる。対物レンズ装置１１は、フォーカス方向へ中立位置にあるときには（図１５の３個の対物レンズ装置１１の内、中央の対物レンズ装置１１が中立位置にある。中立位置では、トラッキングコイル２８ａ，２８ｂ及びフォーカスコイル２９の励磁電流は０である。）、フォーカス方向へ平行に向いている。
【００３５】
前述したように、外周側配線基板区分４０ａにおける外周側サスペンションワイヤ１５ａ，１５ｂの支持に係る剛性は、内周側配線基板区分４０ｂにおける内周側サスペンションワイヤ１６ａ，１６ｂの支持に係る剛性よりも小さくされている。したがって、対物レンズ装置１１が、中立位置から上側（光ディスク５４に接近する側）へ変位する程、対物レンズ装置１１はトラッキング方向内周側へ向く。また、対物レンズ装置１１が、中立位置から下側（光ディスク５４から離反する側）へ変位する程、対物レンズ装置１１はトラッキング方向外周側へ向く。こうして、対物レンズ装置１１のフォーカス方向位置を制御することにより、対物レンズ装置１１の向きを所望のものに制御することができる。なお、外周側配線基板区分４０ａにおける外周側サスペンションワイヤ１５ａ，１５ｂの支持に係る剛性、及び内周側配線基板区分４０ｂにおける内周側サスペンションワイヤ１６ａ，１６ｂの支持に係る剛性は、共に、それらサスペンションワイヤ支持部の弾性変形を許容する剛性である。
【００３６】
図４は従来の配線基板１４１をホルダダンパ１３とは反対側から見た図である。外周側配線基板区分４０ａ及び内周側配線基板区分４０ｂは、はとめ用透孔３６ａ，３６ｂ以外において、左右対称の形状になっている。すなわち、外周側突出部分４１ａ，４１ｂと内周側突出部分４２ａ，４２ｂとは相互に対称形状であり、外周側切欠き４５ａ及び内周側切欠き４５ｂも相互に非対称になっている。外周側突出部分４１ａ，４１ｂ及び内周側突出部分４２ａ，４２ｂは、ホルダダンパ１３の外周側凹部３１ａ及び内周側凹部３１ｂに位置しており、ホルダダンパ１３には固着されない。配線基板１４１は、外周側突出部分４１ａ，４１ｂ及び内周側突出部分４２ａ，４２ｂ以外の部分ではホルダダンパ１３の固着面部３２に接着剤で固着されている。
【００３７】
配線基板１４１では、外周側突出部分４１ａ，４１ｂ及び内周側突出部分４２ａ，４２ｂは、外周側配線基板区分４０ａにおける外周側サスペンションワイヤ１５ａ，１５ｂを支持する部位として存在するとともに、ホルダダンパ１３の固着面部３２へ固着されていない部位となっており、かつ相互に形状が等しくなっている。したがって、配線基板１４１では、外周側配線基板区分４０ａにおける外周側サスペンションワイヤ１５ａ，１５ｂの支持に係る剛性と内周側配線基板区分４０ｂにおける内周側サスペンションワイヤ１６ａ，１６ｂの支持に係る剛性とは相互に等しくなる。結果、配線基板１４１を装備する光ピックアップアクチュエータ１０では、フォーカス方向の対物レンズ装置１１の変位にもかかわらず、対物レンズ２６の向きはフォーカス方向に対して平行な向きを維持し、光ディスク５４の面触れに対処できない。
【００３８】
図５は本発明を適用された配線基板１４２をホルダダンパ１３とは反対側から見た図である。配線基板１４２において、配線基板１４１（図４）と相違する点についてのみ説明する。外周側突出部分４１ａ，４１ｂは内周側突出部分４２ａ，４２ｂより突出量（トラッキング方向の寸法）が大となっている。外周側突出部分４１ａ，４１ｂ及び内周側突出部分４２ａ，４２ｂは、トラッキング方向へホルダダンパ１３の外周側凹部３１ａ及び内周側凹部３１ｂと重複する範囲に存在し、すなわちホルダダンパ１３へ固着されないので、外周側突出部分４１ａ，４１ｂは内周側突出部分４２ａ，４２ｂより剛性が小さくなる。したがって、配線基板１４２では、外周側配線基板区分４０ａにおける外周側サスペンションワイヤ１５ａ，１５ｂの支持に係る剛性は、内周側配線基板区分４０ｂにおける内周側サスペンションワイヤ１６ａ，１６ｂの支持に係る剛性より小さくなる。結果、配線基板１４２を装備する光ピックアップアクチュエータ１０では、対物レンズ装置１１は、図１５のように、対物レンズ装置１１のフォーカス方向位置に関係して、向きを変化し、光ディスク５４の面触れに対して、向きを光ディスク５４の記録面に直角に維持することができる。
【００３９】
図６は本発明を適用された配線基板１４３をホルダダンパ１３とは反対側から見た図である。配線基板１４３において、配線基板１４１（図４）と相違する点についてのみ説明する。外周側突出部分４１ａ，４１ｂと内周側突出部分４２ａ，４２ｂとは相互に非対称の形状になっている。また、外周側切欠き４５ａ及び内周側切欠き４５ｂも、外周側配線基板区分４０ａ及び内周側配線基板区分４０ｂにおいて形状及び寸法を異にしている。すなわち、突出元の幅（上下方向寸法）に関して、外周側突出部分４１ａ，４１ｂは内周側突出部分４２ａ，４２ｂより狭くなっている。また、底部の幅（上下方向寸法）に関して、外周側切欠き４５ａ及び内周側切欠き４５ｂａは内周側切欠き４５ｂより広くなっている。したがって、配線基板１４３では、外周側配線基板区分４０ａにおける外周側サスペンションワイヤ１５ａ，１５ｂの支持に係る剛性は、内周側配線基板区分４０ｂにおける内周側サスペンションワイヤ１６ａ，１６ｂの支持に係る剛性より小さくなる。結果、配線基板１４３を装備する光ピックアップアクチュエータ１０では、対物レンズ装置１１は、図１５のように、対物レンズ装置１１のフォーカス方向位置に関係して、向きを変化し、光ディスク５４の面触れに対して、向きを光ディスク５４の記録面に直角に維持することができる。
【００４０】
図７は本発明を適用された配線基板１４４をホルダダンパ１３とは反対側から見た図である。配線基板１４４において、配線基板１４３（図６）との相違点についてのみ説明する。配線基板１４３（図６）では、内周側突出部分４２ａの上縁及び内周側突出部分４２ｂの下縁が、外周側突出部分４１ａの上縁及び外周側突出部分４１ｂの下縁と同様に、配線基板１４３のトラッキング方向中央部の上縁及び下縁に対して内周側突出部分４２ａ，４２ｂの幅方向（フォーカス方向）内側へ引き込まれているのに対し、該配線基板１４４では、内周側突出部分４２ａの上縁及び内周側突出部分４２ｂの下縁が配線基板１４３のトラッキング方向中央部の上縁及び下縁の高さに揃えられている。これにより、該配線基板１４４では、配線基板１４３（図６）よりも、内周側配線基板区分４０ｂにおける内周側サスペンションワイヤ１６ａ，１６ｂの支持に係る剛性が一層高まり、配線基板１４４では、外周側配線基板区分４０ａにおける外周側サスペンションワイヤ１５ａ，１５ｂの支持に係る剛性は、内周側配線基板区分４０ｂにおける内周側サスペンションワイヤ１６ａ，１６ｂの支持に係る剛性より小さいとともに、両者の差は増大する。結果、配線基板１４４を装備する光ピックアップアクチュエータ１０では、対物レンズ装置１１は、図１５のように、対物レンズ装置１１のフォーカス方向位置に関係して、向きを変化し、光ディスク５４の面触れに対して、向きを光ディスク５４の記録面に直角に維持することができる。
【００４１】
図８は本発明を適用された配線基板１４５をホルダダンパ１３とは反対側から見た図である。配線基板１４５において、配線基板１４１（図４）と相違する点についてのみ説明する。配線基板１４５では、内周側切欠き４５ｂが消失し、内周側突出部分４２ａ，４２ｂは、先端部において上下に繋がっているとともに、矩形の開口４８が両内周側突出部分４２ａ，４２ｂの間に穿設されている。開口４８の面積及び形状は、外周側切欠き４５ａ及び内周側切欠き４５ｂａの根元部の幅広部の面積及び形状に等しく、配線基板１４５では、外周側配線基板区分４０ａにおける外周側サスペンションワイヤ１５ａ，１５ｂの支持に係る剛性は、内周側突出部分４２ａ，４２ｂの先端部が相互に繋がっている分だけ、内周側配線基板区分４０ｂにおける内周側サスペンションワイヤ１６ａ，１６ｂの支持に係る剛性より小さくなる。結果、配線基板１４５を装備する光ピックアップアクチュエータ１０では、対物レンズ装置１１は、図１５のように、対物レンズ装置１１のフォーカス方向位置に関係して、向きを変化し、光ディスク５４の面触れに対して、向きを光ディスク５４の記録面に直角に維持することができる。
【００４２】
図９は本発明を適用された配線基板１４６をホルダダンパ１３とは反対側から見た図である。配線基板１４６において、配線基板１４４（図７）との相違点についてのみ説明する。配線基板１４６では、配線基板１４４（図７）における内周側切欠き４５ｂが消失している。これにより、配線基板１４６では、配線基板１４４よりも、内周側配線基板区分４０ｂにおける内周側サスペンションワイヤ１６ａ，１６ｂの支持に係る剛性が一層高まり、配線基板１４６では、外周側配線基板区分４０ａにおける外周側サスペンションワイヤ１５ａ，１５ｂの支持に係る剛性は、内周側配線基板区分４０ｂにおける内周側サスペンションワイヤ１６ａ，１６ｂの支持に係る剛性より、図７の配線基板１４４の場合よりも大きな差で、小さくなる。結果、配線基板１４６を装備する光ピックアップアクチュエータ１０では、対物レンズ装置１１は、図１５のように、対物レンズ装置１１のフォーカス方向位置に関係して、向きを変化し、光ディスク５４の面触れに対して、向きを光ディスク５４の記録面に直角に維持することができる。
【００４３】
図１０は本発明を適用された配線基板１４７をホルダダンパ１３とは反対側から見た図である。配線基板１４７において、配線基板１４１と相違する点についてのみ説明する。内周側配線用パターン３９ａ，３９ｂは、トラッキング方向の延び部分において、特に、外周側突出部分４１ａ，４１ｂ及び内周側突出部分４２ａ，４２ｂの領域において、外周側配線用パターン３８ａ，３８ｂのそれよりも幅広となっている。外周側配線用パターン３８ａ，３８ｂ及び内周側配線用パターン３９ａ，３９ｂは、配線基板１４７の剛性強化に寄与するので、内周側配線基板区分４０ｂは、幅広の外周側配線用パターン３８ａ，３８ｂの存在により、剛性が高まり、外周側配線基板区分４０ａにおける外周側サスペンションワイヤ１５ａ，１５ｂの支持に係る剛性は、内周側配線基板区分４０ｂにおける内周側サスペンションワイヤ１６ａ，１６ｂの支持に係る剛性より小さくなる。結果、配線基板１４７を装備する光ピックアップアクチュエータ１０では、対物レンズ装置１１は、図１５のように、対物レンズ装置１１のフォーカス方向位置に関係して、向きを変化し、光ディスク５４の面触れに対して、向きを光ディスク５４の記録面に直角に維持することができる。
【００４４】
図１１は光ピックアップアクチュエータ５０の斜視図である。光ピックアップアクチュエータ５０の要素の内、光ピックアップアクチュエータ１０（図１）の要素との同一のものは、同符号を付して、説明は省略し、相違点について説明する。光ピックアップアクチュエータ１０（図１）では、ホルダダンパ１３の外周側凹部３１ａ及び内周側凹部３１ｂのトラッキング方向寸法は相互に等しいのに対し、該光ピックアップアクチュエータ５０では、内周側凹部３１ｂは外周側凹部３１ａよりトラッキング方向寸法が短くなっている。すなわち、ホルダダンパ１３について、基準線２３（図１２）から固着面部３２のトラッキング方向両端としての外周側縁３３ａ及び内周側縁３３ｂまでのトラッキング方向距離は内周側縁３３ｂの方が外周側縁３３ａより長くなっている。
【００４５】
図１２は光ピックアップアクチュエータ５０をタンジェンシャル方向へ配線基板１４側から見た図である。光ピックアップアクチュエータ５０の配線基板１４は、図４の配線基板１４１と同一である。配線基板１４は、ホルダダンパ１３の固着面部３２に当てられている部分において固着面部３２に固着されるので、基準線２３からの距離が外周側縁３３ａより内周側縁３３ｂが長い分だけ、内周側配線基板区分４０ｂでは、内周側突出部分４２ａ，４２ｂの根元部が固着面部３２へ固着されてしまい、この結果、非固着面積は、内周側突出部分４２ａ，４２ｂの方が外周側突出部分４１ａ，４１ｂより小さくなる。したがって、光ピックアップアクチュエータ５０では、外周側配線基板区分４０ａにおける外周側サスペンションワイヤ１５ａ，１５ｂの支持に係る剛性は、内周側配線基板区分４０ｂにおける内周側サスペンションワイヤ１６ａ，１６ｂの支持に係る剛性より小さくなり、結果、対物レンズ装置１１は、図１５のように、対物レンズ装置１１のフォーカス方向位置に関係して、向きを変化し、光ディスク５４の面触れに対して、向きを光ディスク５４の記録面に直角に維持することができる。
【図面の簡単な説明】
【００４６】
【図１】光ピックアップアクチュエータの斜視図である。
【図２】図１のヨークの斜視図である。
【図３】図１の光ピックアップアクチュエータをタンジェンシャル方向へ配線基板側から見た図である。
【図４】従来の配線基板をホルダダンパとは反対側から見た図である。
【図５】本発明を適用された第１の配線基板をホルダダンパとは反対側から見た図である。
【図６】本発明を適用された第２の配線基板をホルダダンパとは反対側から見た図である。
【図７】本発明を適用された第３の配線基板をホルダダンパとは反対側から見た図である。
【００４７】
【図８】本発明を適用された第４の配線基板をホルダダンパとは反対側から見た図である。
【図９】本発明を適用された第５の配線基板をホルダダンパとは反対側から見た図である。
【図１０】本発明を適用された第６の配線基板をホルダダンパとは反対側から見た図である。
【図１１】別の光ピックアップアクチュエータの斜視図である。
【図１２】別の光ピックアップアクチュエータをタンジェンシャル方向へ配線基板側から見た図である。
【図１３】光ディスクが水平姿勢にあるときの対物レンズ装置の向きを示す図である。
【図１４】光ディスクの面振れ及び対物レンズ装置の向きを示す図である。
【図１５】光ピックアップアクチュエータにおける対物レンズ装置のフォーカス方向位置と対物レンズ装置の向きとの関係を示す図である。
【符号の説明】
【００４８】
１０，５０：光ピックアップアクチュエータ、１１：対物レンズ装置、１３：ホルダダンパ、１４：配線基板、１５ａ：外周側サスペンションワイヤ、１５ｂ：内周側サスペンションワイヤ、３３ａ：外周側縁ａ、３３ｂ：内周側縁ｂ、３４ａ，３４ｂ：外周側半田付け部、３５ａ，３５ｂ：内周側半田付け部、３８ａ：外周側配線用パターン、３８ｂ：内周側配線用パターン、４０ａ：外周側配線基板区分、４０ｂ：内周側配線基板区分、４１，１４２，１４３，１４４，１４５，１４６，１４７：配線基板、４１ａ：外周側突出部分、４２ａ：内周側突出部分、４５ａ：外周側切欠き、４５ｂ：内周側切欠き、４８：開口、５４：光ディスク。
【図１】
2007066481.tif 000003
【図２】
2007066481.tif 000004
【図３】
2007066481.tif 000005
【図４】
2007066481.tif 000006
【図５】
2007066481.tif 000007
【図６】
2007066481.tif 000008
【図７】
2007066481.tif 000009
【図８】
2007066481.tif 000010
【図９】
2007066481.tif 000011
【図１０】
2007066481.tif 000012
【図１１】
2007066481.tif 000013
【図１２】
2007066481.tif 000014
【図１３】
2007066481.tif 000015
【図１４】
2007066481.tif 000016
【図１５】
2007066481.tif 000017